(57)【要約】【課題】利用者グループごとに異なるアンチパスバック制御を容易かつ柔軟に適用可能とする。【解決手段】入退判定装置３０において、カードＩＤごとに当該ＩＤカードの利用者の現在位置を示す現在区画ＩＤを記憶するとともに、カード端末と利用者のグループとの組み合わせごとに移動元区画ＩＤと移動先区画ＩＤとを記憶しておき、カード端末からのカード情報のカードＩＤと対応する現在区画ＩＤを取得するとともに、当該利用者が属するグループに関する当該カード端末の移動元区画ＩＤおよび移動先区画ＩＤを取得して、現在区画ＩＤと移動元区画ＩＤとを比較することにより当該利用者に対するパスバック違反の有無を判定し、当該パスバック違反なしの判定に応じて移動先区画ＩＤを当該カードＩＤの新たな現在区画ＩＤとして登録する。【選択図】  図１
2010020517.tif 000002
【特許請求の範囲】
【請求項１】
固有のカードＩＤを含むカード情報が予め記録された複数のＩＤカードと、
異なる施設に対してそれぞれ仮想的に設定された区画間を利用者が移動する際に、当該利用者が所持する前記ＩＤカードから前記カード情報を読み出す第１のカード端末と、
同一施設に対して仮想的に設定された区画間を利用者が移動する際に、当該利用者が所持する前記ＩＤカードから前記カード情報を読み出す第２のカード端末と、
これらカード端末で読み出されたカード情報に基づいて当該カード端末に対応する移動元区画から移動先区画への入退可否を判定する入退判定装置と
を備え、
前記入退判定装置は、
前記カードＩＤごとに、当該ＩＤカードの利用者の現在位置を示す現在区画ＩＤを記憶する現在位置情報記憶部と、
前記カード端末と前記利用者のグループとの組み合わせごとに、当該カード端末に対応する前記移動元区画を示す移動元区画ＩＤと、当該カード端末に対応する前記移動先区画を示す移動先区画ＩＤとを記憶する区画情報記憶部と、
前記カード端末で読み出されたカード情報に含まれるカードＩＤと対応する現在区画ＩＤを前記現在位置情報記憶部から取得するとともに、当該ＩＤカードの利用者が属するグループに関する当該カード端末の移動元区画ＩＤおよび移動先区画ＩＤを前記区画情報記憶部から取得して、前記現在区画ＩＤと前記移動元区画ＩＤとを比較することにより当該利用者に対するパスバック違反の有無を判定し、当該パスバック違反なしの判定に応じて入退可と判定するとともに、前記移動先区画ＩＤを当該カードＩＤの新たな現在区画ＩＤとして前記現在位置情報記憶部に登録し、当該パスバック違反ありの判定に応じて入退不可と判定する入退判定部と
を備えることを特徴とする入退管理システム。
【請求項２】
固有のカードＩＤを含むカード情報が予め記録された複数のＩＤカードと、
異なる施設に対してそれぞれ仮想的に設定された区画間を利用者が移動する際に、当該利用者が所持する前記ＩＤカードから前記カード情報を読み出す第１のカード端末と、
同一施設に対して仮想的に設定された区画間を利用者が移動する際に、当該利用者が所持する前記ＩＤカードから前記カード情報を読み出す第２のカード端末と、
これらカード端末で読み出されたカード情報に基づいて当該カード端末に対応する移動元区画から移動先区画への入退可否を判定する入退判定装置と
を備える入退管理システムで用いられる入退管理方法であって、
前記入退判定装置の現在位置情報記憶部が、前記カードＩＤごとに、当該ＩＤカードの利用者の現在位置を示す現在区画ＩＤを記憶するステップと、
前記入退判定装置の区画情報記憶部が、前記カード端末と前記利用者のグループとの組み合わせごとに、当該カード端末に対応する前記移動元区画を示す移動元区画ＩＤと、当該カード端末に対応する前記移動先区画を示す移動先区画ＩＤとを記憶するステップと、
前記入退判定装置の入退判定部が、前記カード端末で読み出されたカード情報に含まれるカードＩＤと対応する現在区画ＩＤを前記現在位置情報記憶部から取得するとともに、当該ＩＤカードの利用者が属するグループに関する当該カード端末の移動元区画ＩＤおよび移動先区画ＩＤを前記区画情報記憶部から取得して、前記現在区画ＩＤと前記移動元区画ＩＤとを比較することにより当該利用者に対するパスバック違反の有無を判定し、当該パスバック違反なしの判定に応じて入退可と判定するとともに、前記移動先区画ＩＤを当該カードＩＤの新たな現在区画ＩＤとして前記現在位置情報記憶部に登録し、当該パスバック違反ありの判定に応じて入退不可と判定するステップと
を含むことを特徴とする入退管理方法。
【請求項３】
固有のカードＩＤを含むカード情報が予め記録された複数のＩＤカードと、
異なる施設に対してそれぞれ仮想的に設定された区画間を利用者が移動する際に、当該利用者が所持する前記ＩＤカードから前記カード情報を読み出す第１のカード端末と、
同一施設に対して仮想的に設定された区画間を利用者が移動する際に、当該利用者が所持する前記ＩＤカードから前記カード情報を読み出す第２のカード端末と、
これらカード端末で読み出されたカード情報に基づいて当該カード端末に対応する移動元区画から移動先区画への入退可否を判定する入退判定装置と
を備える入退管理システムで用いられる入退判定装置であって、
前記カードＩＤごとに、当該ＩＤカードの利用者の現在位置を示す現在区画ＩＤを記憶する現在位置情報記憶部と、
前記カード端末と前記利用者のグループとの組み合わせごとに、当該カード端末に対応する前記移動元区画を示す移動元区画ＩＤと、当該カード端末に対応する前記移動先区画を示す移動先区画ＩＤとを記憶する区画情報記憶部と、
前記カード端末で読み出されたカード情報に含まれるカードＩＤと対応する現在区画ＩＤを前記現在位置情報記憶部から取得するとともに、当該ＩＤカードの利用者が属するグループに関する当該カード端末の移動元区画ＩＤおよび移動先区画ＩＤを前記区画情報記憶部から取得して、前記現在区画ＩＤと前記移動元区画ＩＤとを比較することにより当該利用者に対するパスバック違反の有無を判定し、当該パスバック違反なしの判定に応じて入退可と判定するとともに、前記移動先区画ＩＤを当該カードＩＤの新たな現在区画ＩＤとして前記現在位置情報記憶部に登録し、当該パスバック違反ありの判定に応じて入退不可と判定する入退判定部と
を備えることを特徴とする入退判定装置。
【請求項４】
固有のカードＩＤを含むカード情報が予め記録された複数のＩＤカードと、
異なる施設に対してそれぞれ仮想的に設定された区画間を利用者が移動する際に、当該利用者が所持する前記ＩＤカードから前記カード情報を読み出す第１のカード端末と、
同一施設に対して仮想的に設定された区画間を利用者が移動する際に、当該利用者が所持する前記ＩＤカードから前記カード情報を読み出す第２のカード端末と、
これらカード端末で読み出されたカード情報に基づいて当該カード端末に対応する移動元区画から移動先区画への入退可否を判定する入退判定装置と
を備える入退管理システムで用いられる入退判定装置のコンピュータに、
前記入退判定装置の現在位置情報記憶部が、前記カードＩＤごとに、当該ＩＤカードの利用者の現在位置を示す現在区画ＩＤを記憶するステップと、
前記入退判定装置の区画情報記憶部が、前記カード端末と前記利用者のグループとの組み合わせごとに、当該カード端末に対応する前記移動元区画を示す移動元区画ＩＤと、当該カード端末に対応する前記移動先区画を示す移動先区画ＩＤとを記憶するステップと、
前記入退判定装置の入退判定部が、前記カード端末で読み出されたカード情報に含まれるカードＩＤと対応する現在区画ＩＤを前記現在位置情報記憶部から取得するとともに、当該ＩＤカードの利用者が属するグループに関する当該カード端末の移動元区画ＩＤおよび移動先区画ＩＤを前記区画情報記憶部から取得して、前記現在区画ＩＤと前記移動元区画ＩＤとを比較することにより当該利用者に対するパスバック違反の有無を判定し、当該パスバック違反なしの判定に応じて入退可と判定するとともに、前記移動先区画ＩＤを当該カードＩＤの新たな現在区画ＩＤとして前記現在位置情報記憶部に登録し、当該パスバック違反ありの判定に応じて入退不可と判定するステップと
を実行させるプログラム。
【発明の詳細な説明】
【技術分野】
【０００１】
本発明は、入退管理技術に関し、特に利用者に関する入退判定とともに、当該利用者に関するアンチパス違反の有無を判定する入退判定技術に関する。
【背景技術】
【０００２】
入退管理システムでは、個別のカードＩＤを記録したＩＤカードを登録者に配布するとともに、これらカードＩＤごとに、当該ＩＤカードの登録者に関する通行許可区分や個人情報を入退判定装置の入退情報に登録しておき、施設のドアに設置されたカード端末でＩＤカードから取得したカードＩＤに基づいて、入退情報を検索することにより入退可否を判定するものとなっている。
【０００３】
また、入退管理システムでは、カード端末ごとに、対応する扉を通行する際の移動元区画および移動先区画の区画ＩＤを入退判定装置の区画情報に登録しておき、上記入退可の判定に応じて登録者の現在位置を示す区画ＩＤを入退判定装置の現在位置情報へ登録することにより、区画ごとに在室者管理を行い、さらには上記入退判定時に、当該登録者に関するパスバックの正否を判定することにより、ＩＤカードの不正使用や誤使用を検査するものとなっている（例えば、特許文献１など参照）。
【０００４】
【特許文献１】特開２００６−２６８６６２号公報
【発明の開示】
【発明が解決しようとする課題】
【０００５】
このような入退管理システムにおいて、来訪者について入退を管理する際、登録者とは異なるパスバック制御を適用したい場合がある。例えば、特定区画への再入室について登録者には制限を設けず、来訪者に対しては受付等で許可を得た後でなければ再入室を許可しないという制限を設けたい場合がある。
しかしながら、このような従来技術では、任意の区画への入室時には、登録者と同様に、当該扉の移動元区画と利用者の現在区画との一致を確認することによりアンチパスバックの正否を行っているため、来訪者のみ特別なアンチパスバック制御を行うことができないという問題点があった。
本発明はこのような課題を解決するためのものであり、利用者グループごとに異なるアンチパスバック制御を容易かつ柔軟に適用できる入退管理システムおよび方法を提供することを目的としている。
【課題を解決するための手段】
【０００６】
このような目的を達成するために、本発明にかかる入退管理システムは、固有のカードＩＤを含むカード情報が予め記録された複数のＩＤカードと、異なる施設に対してそれぞれ仮想的に設定された区画間を利用者が移動する際に、当該利用者が所持するＩＤカードからカード情報を読み出す第１のカード端末と、同一施設に対して仮想的に設定された区画間を利用者が移動する際に、当該利用者が所持するＩＤカードからカード情報を読み出す第２のカード端末と、これらカード端末で読み出されたカード情報に基づいて当該カード端末に対応する移動元区画から移動先区画への入退可否を判定する入退判定装置とを備え、入退判定装置は、カードＩＤごとに、当該ＩＤカードの利用者の現在位置を示す現在区画ＩＤを記憶する現在位置情報記憶部と、カード端末と利用者のグループとの組み合わせごとに、当該カード端末に対応する移動元区画を示す移動元区画ＩＤと、当該カード端末に対応する移動先区画を示す移動先区画ＩＤとを記憶する区画情報記憶部と、カード端末で読み出されたカード情報に含まれるカードＩＤと対応する現在区画ＩＤを現在位置情報記憶部から取得するとともに、当該ＩＤカードの利用者が属するグループに関する当該カード端末の移動元区画ＩＤおよび移動先区画ＩＤを区画情報記憶部から取得して、現在区画ＩＤと移動元区画ＩＤとを比較することにより当該利用者に対するパスバック違反の有無を判定し、当該パスバック違反なしの判定に応じて入退可と判定するとともに、移動先区画ＩＤを当該カードＩＤの新たな現在区画ＩＤとして現在位置情報記憶部に登録し、当該パスバック違反ありの判定に応じて入退不可と判定する入退判定部とを備えている。
【０００７】
本発明にかかる入退管理方法は、固有のカードＩＤを含むカード情報が予め記録された複数のＩＤカードと、異なる施設に対してそれぞれ仮想的に設定された区画間を利用者が移動する際に、当該利用者が所持するＩＤカードからカード情報を読み出す第１のカード端末と、同一施設に対して仮想的に設定された区画間を利用者が移動する際に、当該利用者が所持するＩＤカードからカード情報を読み出す第２のカード端末と、これらカード端末で読み出されたカード情報に基づいて当該カード端末に対応する移動元区画から移動先区画への入退可否を判定する入退判定装置とを備える入退管理システムで用いられる入退管理方法であって、入退判定装置の現在位置情報記憶部が、カードＩＤごとに、当該ＩＤカードの利用者の現在位置を示す現在区画ＩＤを記憶するステップと、入退判定装置の区画情報記憶部が、カード端末と利用者のグループとの組み合わせごとに、当該カード端末に対応する移動元区画を示す移動元区画ＩＤと、当該カード端末に対応する移動先区画を示す移動先区画ＩＤとを記憶するステップと、入退判定装置の入退判定部が、カード端末で読み出されたカード情報に含まれるカードＩＤと対応する現在区画ＩＤを現在位置情報記憶部から取得するとともに、当該ＩＤカードの利用者が属するグループに関する当該カード端末の移動元区画ＩＤおよび移動先区画ＩＤを区画情報記憶部から取得して、現在区画ＩＤと移動元区画ＩＤとを比較することにより当該利用者に対するパスバック違反の有無を判定し、当該パスバック違反なしの判定に応じて入退可と判定するとともに、移動先区画ＩＤを当該カードＩＤの新たな現在区画ＩＤとして現在位置情報記憶部に登録し、当該パスバック違反ありの判定に応じて入退不可と判定するステップとを含む。
【０００８】
また、本発明にかかる入退判定装置は、固有のカードＩＤを含むカード情報が予め記録された複数のＩＤカードと、異なる施設に対してそれぞれ仮想的に設定された区画間を利用者が移動する際に、当該利用者が所持するＩＤカードからカード情報を読み出す第１のカード端末と、同一施設に対して仮想的に設定された区画間を利用者が移動する際に、当該利用者が所持するＩＤカードからカード情報を読み出す第２のカード端末と、これらカード端末で読み出されたカード情報に基づいて当該カード端末に対応する移動元区画から移動先区画への入退可否を判定する入退判定装置とを備える入退管理システムで用いられる入退判定装置であって、カードＩＤごとに、当該ＩＤカードの利用者の現在位置を示す現在区画ＩＤを記憶する現在位置情報記憶部と、カード端末と利用者のグループとの組み合わせごとに、当該カード端末に対応する移動元区画を示す移動元区画ＩＤと、当該カード端末に対応する移動先区画を示す移動先区画ＩＤとを記憶する区画情報記憶部と、カード端末で読み出されたカード情報に含まれるカードＩＤと対応する現在区画ＩＤを現在位置情報記憶部から取得するとともに、当該ＩＤカードの利用者が属するグループに関する当該カード端末の移動元区画ＩＤおよび移動先区画ＩＤを区画情報記憶部から取得して、現在区画ＩＤと移動元区画ＩＤとを比較することにより当該利用者に対するパスバック違反の有無を判定し、当該パスバック違反なしの判定に応じて入退可と判定するとともに、移動先区画ＩＤを当該カードＩＤの新たな現在区画ＩＤとして現在位置情報記憶部に登録し、当該パスバック違反ありの判定に応じて入退不可と判定する入退判定部とを備えている。
【０００９】
また、本発明にかかるプログラムは、固有のカードＩＤを含むカード情報が予め記録された複数のＩＤカードと、異なる施設に対してそれぞれ仮想的に設定された区画間を利用者が移動する際に、当該利用者が所持するＩＤカードからカード情報を読み出す第１のカード端末と、同一施設に対して仮想的に設定された区画間を利用者が移動する際に、当該利用者が所持するＩＤカードからカード情報を読み出す第２のカード端末と、これらカード端末で読み出されたカード情報に基づいて当該カード端末に対応する移動元区画から移動先区画への入退可否を判定する入退判定装置とを備える入退管理システムで用いられる入退判定装置のコンピュータに、入退判定装置の現在位置情報記憶部が、カードＩＤごとに、当該ＩＤカードの利用者の現在位置を示す現在区画ＩＤを記憶するステップと、入退判定装置の区画情報記憶部が、カード端末と利用者のグループとの組み合わせごとに、当該カード端末に対応する移動元区画を示す移動元区画ＩＤと、当該カード端末に対応する移動先区画を示す移動先区画ＩＤとを記憶するステップと、入退判定装置の入退判定部が、カード端末で読み出されたカード情報に含まれるカードＩＤと対応する現在区画ＩＤを現在位置情報記憶部から取得するとともに、当該ＩＤカードの利用者が属するグループに関する当該カード端末の移動元区画ＩＤおよび移動先区画ＩＤを区画情報記憶部から取得して、現在区画ＩＤと移動元区画ＩＤとを比較することにより当該利用者に対するパスバック違反の有無を判定し、当該パスバック違反なしの判定に応じて入退可と判定するとともに、移動先区画ＩＤを当該カードＩＤの新たな現在区画ＩＤとして現在位置情報記憶部に登録し、当該パスバック違反ありの判定に応じて入退不可と判定するステップとを実行させる。
【発明の効果】
【００１０】
本発明によれば、部屋などの実在する施設に対して入退の管理区分となる区画を仮想的に設定するとともに、カード端末と利用者のグループとの組み合わせごとに移動元区画ＩＤと移動先区画ＩＤとを記憶しておき、異なる施設の区画間での移動、および同一施設内の区画間での移動について、入退可否を判定するようにしたので、利用者グループごとに異なるアンチパスバック制御を容易かつ柔軟に適用できる。
【発明を実施するための最良の形態】
【００１１】
次に、本発明の実施の形態について図面を参照して説明する。
［実施の形態の構成］
まず、図１を参照して、本発明の一実施の形態にかかる入退管理システムについて説明する。図１は、本発明の一実施の形態にかかる入退管理システムの構成を示すブロック図である。
【００１２】
この入退管理システム１００には、ＩＤカード１０、電気錠２２、カード端末２３、および入退判定装置３０が含まれている。電気錠２２とカード端末２３は、各管理区画２０にそれぞれ配置されており、通信回線Ｌ１を介してそれぞれデータ通信可能に入退判定装置３０と接続されている。これら電気錠２２やカード端末２３は、入退管理システムの規模に応じて複数配置される。
【００１３】
ＩＤカード１０は、メモリカードやＩＣカードなどの携帯可能な情報処理用のカードからなり、当該ＩＤカードを所持する利用者の入退可否を判定するために必要なカード情報を記録する機能を有している。
本発明では、ＩＤカード１０として登録者カードと来訪者カードの２種類のＩＤカードを用いる。登録者カードは、入退管理システム１００の管理下にある施設を常用する登録者に予め配布するＩＤカードである。来訪者カードは、入退管理システムの管理下にある施設を一時的に利用する来訪者に貸与するＩＤカードである。
【００１４】
電気錠２２は、部屋２０のドア２１ごとに設けられた電動式の錠前からなり、通信回線Ｌ１を介して受信した入退判定装置３０からの開錠／施錠の指示に応じて、ドア２１の開錠／施錠を行う機能を有している。なお、電気錠２２は、常時、施錠されており、入退判定装置３０から開錠指示が到来した場合にのみ所定期間だけ開錠するものとする。
【００１５】
カード端末２３（２３Ａ，２３Ｂ）は、カードリーダなどのカード処理装置からなり、カードスロットへＩＤカードを挿入し（接触型）、あるいはカードアンテナへＩＤカードをかざすことにより（非接触型）、利用者が提示したＩＤカード１０からカード情報を読み出す機能と、当該カード情報を入退判定装置３０へ通信回線Ｌ１を介して送信する機能とを有している。
【００１６】
一般的な入退管理システムでは、部屋などの実在する施設を対象として異なる施設間における入退を管理している。
本発明では、部屋などの実在する施設に対して、入退の管理区分となる区画を仮想的に設定し、異なる施設の区画間での移動、および同一施設内の区画間での移動について、入退可否を判定するようにしたものである。したがって、各施設には、少なくとも１つの区画が仮想的に設定されており、これら施設の一部または全部において、複数の区画が仮想的に設定されているものとする。
【００１７】
本発明では、異なる施設の区画間での移動、すなわち当該移動により施設が変化する移動については、カード端末２３のうち、当該施設間に設けられたドア２１に配置した、施設間移動用のカード端末（第１のカード端末）２３Ａにより、当該区画間の入退を管理している。
また、同一施設内の区画間での移動、すなわち当該移動により施設が変化しない移動については、カード端末２３のうち、ドア２１とは関係なく当該施設内に配置した、施設内移動用のカード端末（第２のカード端末）２３Ｂにより、当該区画間の入退を管理している。
【００１８】
入退判定装置３０は、設備の管理・監視を行う各種制御システムで用いられるコントローラなどの制御装置、あるいはサーバ装置やパソコンなどの情報処理装置からなり、カード端末２３でＩＤカード１０から読み取られたカード情報に基づき、入退可否の判定を行う機能を有している。
【００１９】
入退判定装置３０には、主な機能部として、通信インターフェース部（以下、通信Ｉ／Ｆ部という）３１、記憶部３２、利用者情報記憶部３３、現在位置情報記憶部３４、区画情報記憶部３５、および入退判定部３６が設けられており、これら機能部は、内部バスを介して相互にデータやり取り可能に接続されている。
【００２０】
通信Ｉ／Ｆ部３１は、通信回線Ｌ１を介して電気錠２２やカード端末２３、さらにはサーバ装置やパソコンなどの情報処理装置（図示せず）などの外部装置とデータ通信を行う機能を有している。
記憶部３２は、メモリやハードディスクなどの記憶装置からなり、入退判定装置３０での処理動作に用いる各種情報やプログラムを記憶する機能を有している。
【００２１】
利用者情報記憶部３３は、メモリやハードディスクなどの記憶装置からなり、入退管理システム１００の管理下にある施設を利用する利用者に関する利用者情報を記憶する記憶部である。図２は、利用者情報の構成例である。この例では、利用者を識別するための「カードＩＤ」ごとに、氏名，所属，電話番号，メールアドレスなどの「個人情報」と、当該利用者が属する「利用者グループ」と、当該利用者が通行許可されている区画を示す「通行許可区分」とが、組として保存されている。
【００２２】
現在位置情報記憶部３４は、メモリやハードディスクなどの記憶装置からなり、入退管理システム１００の管理下にある施設を利用する利用者の現在位置を示す現在位置情報を記憶する記憶部である。図３は、現在位置情報の構成例である。この例では、利用者を識別するための「カードＩＤ」ごとに、当該利用者の現在位置を示す区画を示す「現在区画ＩＤ」が保存されている。
【００２３】
区画情報記憶部３５は、メモリやハードディスクなどの記憶装置からなり、入退管理システム１００の管理下にある施設の区画に関する区画情報を記憶する記憶部である。図４は、区画情報の構成例である。この例では、カード端末２３を識別する「カード端末ＩＤ」と利用者が属する「利用者グループ」の組み合わせごとに、当該カード端末の操作で入退を判定する移動元区画を示す「移動元区画ＩＤ」と、当該カード端末の操作で入退を判定する移動先区画を示す「移動先区画ＩＤ」との組が保存されている。
【００２４】
入退判定部３６は、ＣＰＵとプログラムとが協働してなる演算処理部により構成されており、通信Ｉ／Ｆ部３１を介して受信したカード端末２３からのカード情報に応じて、当該カード端末２３に対応する移動元区画から移動先区画への入退可否を判定する機能と、その入退判定結果を通信Ｉ／Ｆ部３１から送信元カード端末２３へ返送する機能と、当該入退判定結果が入退可を示す場合には、送信元カード端末２３と対応する電気錠２２へ開錠を指示する機能とを有している。
【００２５】
この際、入退判定部３６は、受信したカード情報に含まれているカードＩＤに対応する「利用者グループ」と「通行許可区分」を利用者情報記憶部３３から読み出すとともに、当該カード情報の送信元カード端末を示す「カード端末ＩＤ」と上記「利用者グループ」との組に対応する「移動先区画ＩＤ」を区画情報記憶部３５から読み出し、「移動先区画ＩＤ」が「通行許可区分」に含まれているか否かに応じて、当該移動先区画への入退可否を判定する。
【００２６】
また、入退判定部３６は、受信したカード情報に含まれているカードＩＤに対応する「現在区画ＩＤ」を現在位置情報記憶部３４から読み出すとともに、当該カード情報の送信元カード端末を示す「カード端末ＩＤ」と上記「利用者グループ」との組に対応する「移動元区画ＩＤ」を区画情報記憶部３５から読み出し、これら「現在区画ＩＤ」と「移動元区画ＩＤ」の一致／不一致に応じて、当該利用者に対するパスバック違反の有無、すなわち不正移動の有無を判定し、この判定結果に応じて入退可否を判定する。
【００２７】
［実施の形態の動作］
次に、図５を参照して、本発明の一実施の形態にかかる入退管理システムの動作について説明する。図５は、本発明の一実施の形態にかかる入退判定装置における入退判定処理を示すフローチャートである。
【００２８】
カード端末２３は、利用者が提示したＩＤカード１０からカード情報を読み出し、通信回線Ｌ１を介して入退判定装置３０へ送信する。
入退判定装置３０は、通信Ｉ／Ｆ部３１によりカード端末２３からのカード情報を受信し（ステップ１００）、入退判定部３６により、受信したカード情報に含まれているカードＩＤに対応する「利用者グループ」と「通行許可区分」を利用者情報記憶部３３から取得する（ステップ１０１）。
【００２９】
続いて、入退判定部３６は、当該カード情報の送信元カード端末２３を示す「カード端末ＩＤ」と上記「利用者グループ」との組に対応する「移動先区画ＩＤ」を区画情報記憶部３５から取得し（ステップ１０２）、「移動先区画ＩＤ」と「通行許可区分」とを比較する（ステップ１０３）。
【００３０】
ここで、「移動先区画ＩＤ」が「通行許可区分」に含まれていない場合（ステップ１０４：ＮＯ）、移動先区画への移動が許可されておらず移動不可であると見なされることから、入退判定部３６は、通信Ｉ／Ｆ部３１から送信元カード端末２３へ入退不可を通知する（ステップ１１１）。この際、異なる施設への移動である場合、当該送信元カード端末２３に対応する電気錠２２では施錠状態を維持させればよいことから、電気錠２２に対して特別な指示は行われない。送信元カード端末２３は、入退判定装置３０からの入退不可の通知に応じて、入退不可である旨を利用者へ表示する。
【００３１】
一方、「移動先区画ＩＤ」が「通行許可区分」に含まれている場合（ステップ１０４：ＹＥＳ）、移動先区画への移動が許可されており移動可と見なされることから、入退判定部３６は、受信したカード情報に含まれているカードＩＤに対応する「現在区画ＩＤ」を現在位置情報記憶部３４から取得するとともに（ステップ１０５）、当該カード情報の送信元カード端末を示す「カード端末ＩＤ」と上記「利用者グループ」との組に対応する「移動元区画ＩＤ」を区画情報記憶部３５から取得する（ステップ１０６）。そして、これら「現在区画ＩＤ」と「移動元区画ＩＤ」とを比較する（ステップ１０７）。
【００３２】
ここで、「現在区画ＩＤ」と「移動元区画ＩＤ」が不一致の場合（ステップ１０８：ＮＯ）、この移動が不正な移動に基づくもの、すなわちパスバック違反ありと見なされることから、入退判定部３６は、前述したステップ１１１へ移行する。
一方、「現在区画ＩＤ」と「移動元区画ＩＤ」が一致した場合（ステップ１０８：ＹＥＳ）、この移動が正当な移動に基づくもの、すなわちパスバック違反なしと見なされることから、入退判定部３６は、「移動先区画ＩＤ」を当該カードＩＤの新たな現在区画ＩＤとして現在位置情報記憶部３４へ登録するとともに（ステップ１０９）、通信Ｉ／Ｆ部３１から送信元カード端末２３へ入退可を通知し（ステップ１１０）。また、異なる施設への移動である場合には、通信Ｉ／Ｆ部３１から送信元カード端末２３に対応する電気錠２２へ開錠を指示する。
【００３３】
［実施の形態の動作例］
次に、図６を参照して、本発明の一実施の形態にかかる入退管理システムの動作例について説明する。図６は、本発明の一実施の形態にかかる入退管理システムのアンチパスバック制御例を示す説明図である。
【００３４】
図６の例では、実際の施設ＲＡ，ＲＢの２つの施設が設けられている。このうち、施設ＲＡには、区画Ａと区画ＡＸが仮想的に設定されており、施設ＲＢ内には区画Ｂが仮想的に設定されている。また、施設ＲＡと施設ＲＢの間にはドアＤ１が設けられており、ドアＤ１の施設ＲＡ側には、施設ＲＢへの移動時に操作するカード端末（第１のカード端末）Ａ１が設けられており、ドアＤ１の施設ＲＢ側には、施設ＲＡへの移動時に操作するカード端末（第１のカード端末）Ｂ１が設けられている。また、施設ＲＡ内には、区画ＡＸから区画Ａへの移動時に操作するカード端末（第２のカード端末）Ａ０が配置されている。
【００３５】
以下では、利用者グループとして、施設を常時利用する登録者用の登録者グループと、施設を一時的に利用する来訪者用の来訪者グループとを設け、来訪者グループに対してのみ、施設ＲＡから施設ＲＢへの再移動を制限する場合について説明する。具体的な動作としては、来訪者５０が、来訪者用のカードＩＤが記録されたＩＤカードを用いて、施設ＲＡに存在する来訪者がドアＤ１を通行して施設ＲＢへ移動し、ドアＤ１を通行して施設ＲＡに戻った後、再びドアＤ１を通行して施設ＲＢへ移動しようとした場合を例として説明する。なお、来訪者５０に対する通行許可区分では、区画Ａ，ＡＸ，Ｂのいずれについても通行が許可されているものとし、当該通行許可区分を用いた入退判定動作についての説明は省略する。
【００３６】
まず、ルート５１に沿ってドアＤ１を通過して施設ＲＡから施設ＲＢへ移動するため、来訪者５０が、所持するＩＤカードをカード端末Ａ１で操作したものとする。この際、初期状態として、来訪者５０の現在区画ＩＤは「区画Ａ」を示しているものとする。入退判定装置３０は、当該操作に応じた入退判定処理において、カード端末Ａ１の「来訪者グループ」に関する移動元区画ＩＤは「区画Ａ」であることから、この移動元区画ＩＤ「区画Ａ」と現在区画ＩＤ「区画Ａ」の一致に応じて「パスバック違反なし」と判定しドアＤ１の通行を許可する。この際、カード端末Ｂ１の「来訪者グループ」に関する移動先区画ＩＤが「区画Ｂ」であることから、来訪者５０の新たな現在区画ＩＤは「区画Ｂ」となる。
【００３７】
次に、ルート５２に沿ってドアＤ１を通過して施設ＲＡへ戻るため、来訪者５０が、所持するＩＤカードをカード端末Ｂ１で操作したものとする。入退判定装置３０は、当該操作に応じた入退判定処理において、来訪者５０の現在区画ＩＤが「区画Ｂ」を示しており、カード端末Ｂ１の「来訪者グループ」に関する移動元区画ＩＤが「区画Ｂ」であることから、両者の一致に応じて「パスバック違反なし」と判定してドアＤ１の通行を許可する。この際、カード端末Ｂ１の「来訪者グループ」に関する移動先区画ＩＤは「区画ＡＸ」であることから、来訪者５０の新たな現在区画ＩＤは「区画ＡＸ」となる。
【００３８】
この後、ルート５３に沿ってドアＤ１を通過して施設ＲＢへ再び移動するため、来訪者５０が、カード端末Ａ０を操作せずに、所持するＩＤカードをカード端末Ａ１で操作したものとする。入退判定装置３０は、当該操作に応じた入退判定処理において、来訪者５０の現在区画ＩＤが「区画ＡＸ」を示しており、カード端末Ａ１の「来訪者グループ」に関する移動元区画ＩＤ「区画Ａ」とは異なることから、両者の不一致に応じて「パスバック違反あり」と判定しドアＤ１の通行を禁止する。
【００３９】
一方、ドアＤ１を通過して施設ＲＢへ再移動する前に、ルート５４に沿って所持するＩＤカードをカード端末Ａ０で操作した場合、入退判定装置３０は、当該操作に応じた入退判定処理において、来訪者５０の現在区画ＩＤが「区画ＡＸ」を示しており、カード端末Ａ０の「来訪者グループ」に関する移動元区画ＩＤが「区画ＡＸ」であることから、両者の一致に応じて「パスバック違反なし」と判断されて移動を許可する。この際、カード端末Ａ０の「来訪者グループ」に関する移動先区画ＩＤは「区画Ａ」であることから、来訪者５０の新たな現在区画ＩＤは「区画Ａ」となる。
【００４０】
この後、ルート５５に沿って来訪者５０が所持するＩＤカードをカード端末Ａ１で操作した場合、入退判定装置３０は、当該操作に応じた入退判定処理において、来訪者５０の現在区画ＩＤが「区画Ａ」を示しており、カード端末Ａ１の「来訪者グループ」に関する移動元区画ＩＤが「区画Ａ」であることから、両者の一致に応じて「パスバック違反なし」と判定してドアＤ１の通行を許可する。
【００４１】
このように、来訪者５０が施設ＲＢへの再移動する際、カード端末Ａ０の操作有無に応じて、当該再移動を制限することができる。このため、例えば、貸与されたＩＤカードを返却せずに来訪者５０が持ち帰り、次回の来訪時に当該ＩＤカードを再使用して、施設ＲＢへの移動を試みた場合でも、ＩＤカードの不正使用を阻止することが可能となる。また、来訪者５０が施設ＲＢから退室した後、貸与されたＩＤカードを返却せずに再使用して、施設ＲＢへの移動を試みた場合でも、ＩＤカードの不正使用を阻止することが可能となる。したがって、カード端末Ａ０において、来訪者用ＩＤカードの貸与および返却を管理することにより、入退管理システムとして高いセキュリティ性が得られる。
【００４２】
［実施の形態の効果］
このように、本実施の形態は、カードＩＤごとに当該ＩＤカードの利用者の現在位置を示す現在区画ＩＤを記憶するとともに、カード端末と利用者のグループとの組み合わせごとに移動元区画ＩＤと移動先区画ＩＤとを記憶しておき、カード端末からのカード情報のカードＩＤと対応する現在区画ＩＤを取得するとともに、当該利用者が属するグループに関する当該カード端末の移動元区画ＩＤおよび移動先区画ＩＤを取得して、現在区画ＩＤと移動元区画ＩＤとを比較することにより当該利用者に対するパスバック違反の有無を判定し、当該パスバック違反なしの判定に応じて移動先区画ＩＤを当該カードＩＤの新たな現在区画ＩＤとして登録するようにしたので、利用者グループごとに異なるアンチパスバック制御を容易かつ柔軟に適用できる。
【００４３】
［実施形態の拡張］
以上では、入退判定装置３０において、各カード端末２３や電気錠２２を制御するとともに、入退室判定を行う場合を例として説明したが、これら動作を別個の装置で行うようにしてもよい。例えば、各カード端末２３や電気錠２２を制御する制御装置を設けるとともに、これとは別個に入退室判定を行う管理装置を設け、これら制御装置と管理装置との間で通信回線を介してカード情報や指示を電文によりやり取りするようにしてもよい。
【００４４】
また、以上では、入退判定装置３０において、利用者情報記憶部３３の通行許可区分を用いた入退判定と、現在位置情報記憶部３４や区画情報記憶部３５の区画ＩＤを用いたパスバック違反判定の両方を行う場合を例として説明したが、これに限定されるものではなく、パスバック違反判定の片方だけを行うようにしてもよい。この場合には、図５のステップ１０３，１０４を省略すればよい。
【図面の簡単な説明】
【００４５】
【図１】本発明の一実施の形態にかかる入退管理システムの構成を示すブロック図である。
【図２】利用者情報の構成例である。
【図３】現在位置情報の構成例である。
【図４】区画情報の構成例である。
【図５】本発明の一実施の形態にかかる入退判定装置における入退判定処理を示すフローチャートである。
【図６】本発明の一実施の形態にかかる入退管理システムのアンチパスバック制御例を示す説明図である。
【符号の説明】
【００４６】
１００…入退管理システム、１０…ＩＤカード、２０…施設、２１…ドア、２２…電気錠、２３，２３Ａ，２３Ｂ…カード端末、３０…入退判定装置、３１…通信Ｉ／Ｆ部、３２…記憶部、３３…利用者情報記憶部、３４…現在位置情報記憶部、３５…区画情報記憶部、３６…入退判定部、５０…来訪者、５１〜５５…ルート、Ｌ１…通信回線、Ａ，ＡＸ，Ｂ…区画、Ａ０，Ａ１，Ｂ１…カード端末、Ｄ１…ドア。
【図１】
2010020517.tif 000003
【図２】
2010020517.tif 000004
【図３】
2010020517.tif 000005
【図４】
2010020517.tif 000006
【図５】
2010020517.tif 000007
【図６】
2010020517.tif 000008